(57)【要約】【課題】より低いコストで静音化性能を向上させることができるようにする。【解決手段】換気ユニット１３３は、吸気路と排気路を互いに異なる経路として有する。また、換気ユニット１３３は、吸気路と排気路を仕切り１３４によって仕切り、各経路を１８０度折り返す２段構造とし、吸気口や排気口において十分な開口率（広さ）を確保している。吸気口と排気口は、互いに離れた位置に設けられる。換気ユニット１３３は、吸気口や排気口からの埃等の侵入を避け、かつ、重心を低くするために、電子機器１２１の上に設けられる。本発明は、例えば、静音化装置に適用することができる。【選択図】図４
2011082225.tif 000002
【特許請求の範囲】
【請求項１】
換気機能を有する電子機器を筐体内部に格納し、前記機器の動作音を低減させるとともに、外気を吸気する吸気口と、内気を外部に排気する排気口とを、前記筐体の前記電子機器の位置より上部に備え、前記吸気口より外気を自然吸気して前記電子機器の吸気口に供給し、前記電子機器の排気口から排気される内気を前記排気口に供給し、前記排気口より自然排気する
静音化装置。
【請求項２】
前記吸気口より自然吸気された外気を前記電子機器の吸気口に供給する吸気路と、前記電子機器の排気口から排気される内気を前記排気口に供給する排気路を有する換気ユニットを、前記筐体内部の前記電子機器より上部に備える
請求項１に記載の静音化装置。
【請求項３】
前記吸気路および前記排気路は、前記電子機器より上部において多段構造を形成し、共通の仕切り部材の両面により、それぞれ反対方向に折り返す
請求項２に記載の静音化装置。
【請求項４】
前記仕切り部材は、振動可能な薄膜である
請求項３に記載の静音化装置。
【請求項５】
前記仕切り部材の位置は可変である
請求項４に記載の静音化装置。
【請求項６】
前記吸気口近傍および前記排気口近傍の音量を検出する検出手段と、
前記仕切り部材の位置を制御する駆動手段と、
前記駆動手段を制御し、前記検出手段により検出される前記音量に基づいて前記仕切り部材の位置を決定する制御手段と
をさらに備える請求項５に記載の静音化装置。
【請求項７】
前記筐体内部に、衝撃や振動を吸収する緩衝材を設ける
請求項１に記載の静音化装置。
【請求項８】
前記吸気路および前記排気路内部に、音声を吸収する吸音材を設ける
請求項１に記載の静音化装置。
【請求項９】
前記筐体内部に前記電子機器を複数格納する
請求項１に記載の静音化装置。
【請求項１０】
前記筐体内部を吸気側と排気側に仕切る仕切り部材を、前記筐体内部の前記電子機器が設置されていない箇所に設ける
請求項９に記載の静音化装置。
【請求項１１】
換気機能を有する電子機器を筐体内部に格納し、前記機器の動作音を低減させるとともに、外気を吸気する吸気口と、内気を外部に排気する排気口とを、前記筐体の前記電子機器の位置より上部に備え、
さらに、前記吸気口より吸気された外気を前記電子機器の吸気口に供給する吸気路と、前記電子機器の排気口から排気される内気を前記排気口に供給する排気路が、前記電子機器より上部において多段構造を形成し、振動可能な薄膜からなる共通の仕切り部材の両面により、それぞれ反対方向に折り返す換気ユニットを、前記筐体内部の前記電子機器より上部に備える静音化装置において、
前記吸気口近傍および前記排気口近傍の音量を検出し、
前記仕切り部材の位置を制御し、
検出される前記音量に基づいて前記仕切り部材の設置位置を決定する
静音化方法。
【発明の詳細な説明】
【技術分野】
【０００１】
本発明は、静音化装置および方法に関し、特に、より低いコストで静音化性能を向上させることができるようにした静音化装置および方法に関する。
【背景技術】
【０００２】
近年、情報処理技術の向上とともに、電子機器の高性能化が進んでいる。特に、例えば業務用の高性能サーバ等においては、演算能力の向上のために高集積化が進み、CPU（Central Processing Unit）やメモリ等の内部デバイスの総発熱量が増加傾向にあるものの、省スペース化のために、装置自体は小型化が進んでいる。
【０００３】
したがって、このような高性能な電子機器においては、内部冷却機能を向上させる必要がある。そこで換気用のファンとして、より換気能力の高いファンが用いられるようになってきた。しかしながら、それにより、電子機器において発生する動作音（騒音や振動）が大きくなってしまう恐れがあった。
【０００４】
動作音が大きくなりすぎると電子機器の設置場所等の制約となる恐れがあった。
【０００５】
そこで、電子機器において発生する動作音を低減させる静音化装置（ボックスやユニット等）が考えられた（例えば、特許文献１乃至特許文献３参照）。
【先行技術文献】
【特許文献】
【０００６】
【特許文献１】特開２００８−１１５８０７号公報
【特許文献２】特開２００８−２１８１５号公報
【特許文献３】特開２００６−２２８９２４号公報
【発明の概要】
【発明が解決しようとする課題】
【０００７】
しかしながら、例えば、従来の静音化装置においては、静音化性能が十分でない場合があり、更なる高性能化が求められていた。しかしながら、ファンを設けたり消音器を配設したりする等した場合、不要にコストが増大する恐れもあった。
【０００８】
本発明は、このような状況に鑑みて提案されたものであり、より低いコストで静音化性能を向上させることができるようにすることを目的とする。
【課題を解決するための手段】
【０００９】
本発明の一側面は、換気機能を有する電子機器を筐体内部に格納し、前記機器の動作音を低減させるとともに、外気を吸気する吸気口と、内気を外部に排気する排気口とを、前記筐体の前記電子機器の位置より上部に備え、前記吸気口より外気を自然吸気して前記電子機器の吸気口に供給し、前記電子機器の排気口から排気される内気を前記排気口に供給し、前記排気口より自然排気する静音化装置である。
【００１０】
前記吸気口より自然吸気された外気を前記電子機器の吸気口に供給する吸気路と、前記電子機器の排気口から排気される内気を前記排気口に供給する排気路を有する換気ユニットを、前記筐体内部の前記電子機器より上部に備えることができる。
【００１１】
前記吸気路および前記排気路は、前記電子機器より上部において多段構造を形成し、共通の仕切り部材の両面により、それぞれ反対方向に折り返すようにすることができる。
【００１２】
前記仕切り部材は、振動可能な薄膜であるようにすることができる。
【００１３】
前記仕切り部材の位置は可変であるようにすることができる。
【００１４】
前記吸気口近傍および前記排気口近傍の音量を検出する検出手段と、前記仕切り部材の位置を制御する駆動手段と、前記駆動手段を制御し、前記検出手段により検出される前記音量に基づいて前記仕切り部材の位置を決定する制御手段とをさらに備えることができる。
【００１５】
前記筐体内部に、衝撃や振動を吸収する緩衝材を設けることができる。
【００１６】
前記吸気路および前記排気路内部に、音声を吸収する吸音材を設けることができる。
【００１７】
前記筐体内部に前記電子機器を複数格納することができる。
【００１８】
前記筐体内部を吸気側と排気側に仕切る仕切り部材を、前記筐体内部の前記電子機器が設置されていない箇所に設けることができる。
【００１９】
本発明の一側面は、また、換気機能を有する電子機器を筐体内部に格納し、前記機器の動作音を低減させるとともに、外気を吸気する吸気口と、内気を外部に排気する排気口とを、前記筐体の前記電子機器の位置より上部に備え、さらに、前記吸気口より吸気された外気を前記電子機器の吸気口に供給する吸気路と、前記電子機器の排気口から排気される内気を前記排気口に供給する排気路が、前記電子機器より上部において多段構造を形成し、振動可能な薄膜からなる共通の仕切り部材の両面により、それぞれ反対方向に折り返す換気ユニットを、前記筐体内部の前記電子機器より上部に備える静音化装置において、前記吸気口近傍および前記排気口近傍の音量を検出し、前記仕切り部材の位置を制御し、検出される前記音量に基づいて前記仕切り部材の設置位置を決定する静音化方法である。
【００２０】
本発明の一側面においては、吸気口近傍および排気口近傍の音量が検出され、検出される音量に基づいて仕切り部材の設置位置が決定される。
【発明の効果】
【００２１】
本発明によれば、電子機器の動作音を低減することができる。特に、より低いコストで静音化性能を向上させることができる。
【図面の簡単な説明】
【００２２】
【図１】本発明を適用した静音化装置の斜視図である。
【図２】図１の静音化装置の他の角度からの斜視図である。
【図３】図１の静音化装置の断面図である。
【図４】図１の静音化装置の断面図である。
【図５】電子機器の脱着の様子の例を説明する図である。
【図６】本発明を適用した静音化装置の他の例を説明する断面図である。
【図７】本発明を適用した静音化装置の、さらに他の例を説明する断面図である。
【図８】本発明を適用した静音化装置の、さらに他の例を説明する断面図である。
【図９】本発明を適用した静音化装置の、さらに他の例を説明する断面図である。
【図１０】薄膜位置調整処理の流れの例を説明するフローチャートである。
【図１１】本発明を適用したサーバラックの斜視図である。
【図１２】本発明を適用したサーバラックの正面図である。
【図１３】本発明を適用したサーバラックの断面図である。
【図１４】本発明を適用したパーソナルコンピュータの構成例を示すブロック図である。
【発明を実施するための形態】
【００２３】
以下、発明を実施するための形態（以下実施の形態とする）について説明する。なお、説明は以下の順序で行う。
１．第１の実施の形態（静音化装置）
２．第２の実施の形態（静音化装置）
３．第３の実施の形態（サーバラック）
４．第４の実施の形態（パーソナルコンピュータ）
【００２４】
＜１．第１の実施の形態＞
［外観］
図１は、本発明を適用した静音化装置の一実施の形態の構成を表している。
【００２５】
図１に示される静音化装置１００は、サーバ等の電子機器を、略直方体形状の筺体の内部に格納し、その動作音を低減させる（外部に漏洩する動作音を吸音する）装置である。
【００２６】
図１に示されるように、静音化装置１００の筺体は、本体部１０１、蓋部１０２、および蓋部１０３により構成される。蓋部１０２および蓋部１０３は、それぞれ本体部１０１から脱着可能に構成される。以下においては、蓋部１０２側の面１００Ａを正面（正面１００Ａ）と称し、面１００Ｂを上面（上面１００Ｂ）と称し、面１００Ｃを右側面（右側面１００Ｃ）と称する。
【００２７】
蓋部１０２の正面１００Ａの上側には、非動作時に後述する吸気口を塞ぐための吸気口蓋１０４が設けられている。図１においては、吸気口蓋１０４が閉じられた状態が示されている。動作時には、この吸気口蓋１０４は、矢印で示されるように開かれる。
【００２８】
また、蓋部１０２の正面１００Ａの下側には、内部に格納された電子機器の操作時に利用される操作窓を塞ぐための操作窓蓋１０５が設けられている。この操作窓蓋１０５は、両矢印で示されるように、蓋部１０２より脱着可能に設けられている。この操作窓蓋１０５が蓋部１０２より外されると、内部に通ずる操作窓が形成される。ユーザは、この操作窓を介して内部の電子機器を操作することができる。ただし、この操作窓蓋１０５を外して操作窓を開放すると、そこから動作音が外部に漏れ、静音化装置１００の静音化性能が低減してしまう。そこで、この操作窓蓋１０５は、基本的に蓋部１０２に装着され、必要な場合のみ外されるようにする。
【００２９】
図２は、図１の静音化装置の他の角度からの斜視図である。以下においては、蓋部１０３側の面１００Ｄを背面（背面１００Ｄ）と称する。
【００３０】
蓋部１０３の背面１００Ｄの上側には、非動作時に後述する排気口を塞ぐための排気口蓋１０６が設けられている。動作時には、この吸気口蓋１０４は、矢印で示されるように開かれる。図３には、排気口蓋１０６が開かれた状態が示されている。
【００３１】
図１の吸気口蓋１０４と図２の排気口蓋１０６は、設けられている場所が吸気口であるか排気口であるかの違い以外は、基本的に同様に構成され、同様の作用を施す。つまり、吸気口蓋１０４および排気口蓋１０６は、非動作時には図１に示されるように閉じられ、動作時には図２に示されるように開かれる。
【００３２】
なお、吸気口も排気口と基本的に同様に構成される。つまり、図１の吸気口蓋１０４を開くと、吸気口は、正面１００Ａにおいて、図２の排気口のように開口する。
【００３３】
また、蓋部１０３の背面１００Ｄの下側には、内部に格納された電子機器のケーブルを筺体外部に配線するための窓である配線窓が設けられ、その配線窓には、図２に示されるように配線窓蓋１０７が設けられている。この配線窓蓋１０７は、吸気口蓋１０４や排気口蓋１０６と同様に、両矢印に示されるように回転方向に開閉される。
【００３４】
ただし、吸気口蓋１０４や排気口蓋１０６の場合、ヒンジ部が吸気口や排気口の下側に設けられており、それらは下に向けて開かれる。これに対して、配線窓蓋１０７は、ヒンジ部が配線窓の上側に設けられており、上に向けて開かれる。これにより、電子機器のケーブルが配線窓を介して外部に配線された状態において、配線窓蓋１０７自身の重みだけで、容易に、配線窓蓋１０７を極力閉じた状態にすることができ、配線窓の開口率を最小限にすることができる。これにより、動作音が配線窓から外部に漏れるのを抑制することができる。
【００３５】
なお、筺体の形状は任意である。
【００３６】
［内部の構成］
図３は、図１の静音化装置１００を点線両矢印１１１のように切断した時の、正面１００Ａ側から見た断面図である。図３において、静音化装置１００の、右側面１００Ｃに対向する図中左側の面１００Ｅを左側面（左側面１００Ｅ）と称し、上面１００Ｂに対向する図中下側の面１００Ｆを下面（下面１００Ｆ）と称する。
【００３７】
図３に示されるように、筺体１３１の内部に電子機器１２１が設置される。筺体１３１の内面には、緩衝材１３２が設けられ、電子機器１２１は、その緩衝材１３２により囲まれる空間内に設置される。
【００３８】
筺体１３１の素材としては、例えば、木材、プラスチック、鉄や銅等の金属、または、ジュラルミン等の合金等が考えられる。もちろん、これら以外の素材であってもよい、ただし、筺体１３１として十分な強度を有するものが望ましい。
【００３９】
緩衝材１３２は、外部からの振動や衝撃等から電子機器１２１を保護するとともに、電子機器１２１自身の振動や動作音の外部への伝導（筺体１３１の共振等による漏れ）を抑制する部材である。つまり、この緩衝材１３２は、防音材としての役割も果たす。緩衝材１３２の素材としては、例えば、紙、布、羊毛、羽毛、ゴム、発泡スチロール、気泡緩衝材、ゲル化素材、グラスウール、または、ウレタン等のスポンジ等が考えられる。もちろん、これら以外の素材であってもよい。
【００４０】
また、電子機器１２１の上には、換気ユニット１３３が設けられる。換気ユニット１３３は、吸気や排気による気流を誘導する換気路を有する。図中、換気ユニット１３３の斜線模様で示される部分が空洞となっており、この空洞が換気路となり、気流を所定の方向に誘導する。図３に示されるように、換気ユニット１３３の換気路は上下方向に２段構成となっている。詳細については後述する。
【００４１】
図３に示されるように、筺体１３１の内部に設置された電子機器１２１および換気ユニット１３３の、右側面１００Ｃおよび左側面１００Ｅに垂直な左右方向、並びに、上面１００Ｂおよび下面１００Ｆに垂直な上下方向の周囲は、基本的に隙間が無いように緩衝材１３２によって埋められている。
【００４２】
これは、電子機器１２１および換気ユニット１３３を安定的に固定するとともに、電子機器１２１の前方（正面側）の空間と後方（背面側）の空間とを分離することを目的としている。
【００４３】
図４は、図１の静音化装置１００を点線両矢印１１２のように切断した時の、右側面１００Ｃ側から見た断面図である。
【００４４】
図４に示されるように、筺体１３１の正面１００Ａの内面や、背面１００Ｄの内面にも、吸気口、排気口、および配線窓の部分以外、基本的に緩衝材１３２が設けられる。操作窓蓋１０５の内面にも緩衝材１３２が設けられる。
【００４５】
ただし、筺体１３１の内部に設置された電子機器１２１の、正面１００Ａおよび背面１００Ｄに垂直な前後方向の周囲は、緩衝材１３２との間に所定の隙間が設けられている。
【００４６】
図４に示されるように、換気ユニット１３３の内部は、仕切り１３４によって前後方向に２つの空間（２つの経路の換気路（つまり、吸気路と排気路））に分けられている。上述したように、電子機器１２１の正面１００Ａ側の空間と、電子機器１２１の背面１００Ｄ側の空間も分けられている。
【００４７】
吸気口から自然吸気された外気は、矢印に示されるように、換気ユニット１３３の内部の、仕切り１３４より前の吸気路を通って、電子機器１２１の正面１００Ａ側の空間に供給（誘導）される。電子機器１２１は、換気機能を有しており、電子機器１２１の正面１００Ａ側の側面には、吸気口１２２が設けられている。
【００４８】
つまり、吸気口から自然吸気された外気は、右上左下の斜線模様で示される、換気ユニット１３３内部の仕切り１３４より前側の空間と、電子機器１２１の正面１００Ａ側の空間とで構成される吸気路によって、吸気口１２２に供給（誘導）され、その吸気口１２２から電子機器１２１内部へと供給（誘導）される。
【００４９】
換気機能を有する電子機器１２１内部には、例えば換気用ファン等の騒音源１２４が存在する。この騒音源１２４は、動作音が発生するものであれば、どのようなものであってもよい。電子機器１２１内部には、例えば、騒音源１２４となる換気用ファン等により、図中点線で示されるように、正面１００Ａ側から背面１００Ｄ側に向かって気流が生じる。
【００５０】
つまり、吸気口１２２から取り込まれた外気は、電子機器１２１内部を通過し、（内気として）電子機器１２１内部に存在する発熱源である電子部品を冷却し、電子機器１２１の背面１００Ｄ側の側面に設けられた排気口１２３から、電子機器１２１の背面１００Ｄ側の空間に排気される。
【００５１】
この内気はさらに、矢印に示されるように、換気ユニット１３３の内部の、仕切り１３４より後の排気路を通って、排気口に供給（誘導）され、静音化装置１００の排気口から自然排気される。
【００５２】
つまり、電子機器の排気口１２３から排気された気流は、右下左上の斜線模様で示される、換気ユニット１３３内部の仕切り１３４より後側の空間と、電子機器１２１の背面１００Ｄ側の空間とで構成される排気路によって、静音化装置１００の排気口に供給（誘導）される。
【００５３】
このように、換気ユニット１３３は、互いに異なる経路の吸気路と排気路を有する。これにより、新鮮な（低温の）吸気が高温の排気と干渉しないようにすることができ、外気を電子機器１２１内に低温のまま取り込むことができる。これにより電子機器１２１の冷却効率を向上させることができる。
【００５４】
また、換気ユニット１３３は、吸気路と排気路を共通の部材である仕切り１３４によって仕切り、その仕切り部材の両面によって、各経路がそれぞれ１８０度（反対方向に）折り返す多段（２段）構造とし、スペースを最大限に利用して極力長い経路を確保している。また、それとともに、換気ユニット１３３は、図１や図２に示されるように吸気口や排気口において十分な開口率（広さ）を確保している。
【００５５】
つまり、換気ユニット１３３は、より簡単な構造で、換気路をより長く、かつより広くしている。構造を簡易化することにより、コストを抑制することができる。また、換気路をより長くすることにより、吸気口や排気口からの音漏れをより抑制することができる。さらに、換気路が折り返されているので、さらに音漏れが抑制される。
【００５６】
さらに、換気路（吸気口や排気口）をより広くすることにより、換気量を多くすることができる。つまり、換気ユニット１３３は、コストを不要に増大させずに、静音化性能をより向上させるとともに、換気性能もより向上させることができる。
【００５７】
なお、静音化装置１００は、換気性能を向上させることにより、図４に示されるように電子機器１２１の換気機能のみで吸排気を行うことができる。つまり、静音化装置１００は、自然吸気および自然排気を行うだけで、電子機器１２１を十分に冷却することができる。これにより、吸気や排気用のファン等の設備を静音化装置１００に設ける必要が無くなるので、静音化装置１００の静音化性能をより向上させることができる。また、部品点数を削減することができるので、コストも低減させることができる。
【００５８】
また、図４に示されるように、換気ユニット１３３は、電子機器１２１の上に設けられる。つまり、電子機器１２１は、換気ユニット１３３よりも下に設置される。
【００５９】
一般的に、電子機器１２１の方が換気ユニット１３３よりも重い。したがって、電子機器１２１を換気ユニット１３３よりも下側に設置することにより、電子機器１２１を換気ユニット１３３の上側に設置する場合よりも重心が低くなるので、静音化装置１００の安定度が向上する。
【００６０】
また、換気ユニット１３３を電子機器１２１よりも上側に配置し、吸気口や排気口を静音化装置１００の、より上側に設けることにより、吸気口や排気口からの埃等の侵入をより抑制することができる。
【００６１】
さらに、図４に示されるように、吸気口と排気口を互いに離れた位置に設けることにより、静音化装置１００の外部における吸気と排気の干渉を抑制することができ、電子機器１２１の冷却効率を向上させることができる。
【００６２】
図５は、電子機器の脱着の様子の例を説明する図である。
【００６３】
電子機器１２１は、静音化装置１００の蓋部１０２若しくは蓋部１０３を本体部１０１から外すことにより、取り出したり、設置したりすることができる。図５の例の場合、蓋部１０２を本体部１０１から外している。この状態において、電子機器１２１を矢印１４１に示されるように、正面１００Ａ側に引き出すことにより、容易に、静音化装置１００から取り出すことができる。反対に、背面１００Ｄ側に向かって電子機器１２１を押し込むことにより、容易に、電子機器１２１を静音化装置１００の内部に設置することができる。
【００６４】
なお、蓋部１０３を本体部１０１から外した場合も、同様の作業により、容易に、電子機器１２１を、静音化装置１００から取り外したり、静音化装置１００の内部に設置したりすることができる。
【００６５】
［変形例］
以上に説明した静音化装置１００において、上述した換気路内部や筺体１３１の内部等に、吸音材や緩衝材を設けるようにしてもよい。図６は、本発明を適用した静音化装置の他の例を説明する断面図である。
【００６６】
図６に示される例の場合、静音化装置１００の内部において、電子機器１２１を保護するために、電子機器１２１の下、および、電子機器１２１と換気ユニット１３３との間に、必要最低限以上の緩衝材１５２−１乃至緩衝材１５２−４が設けられている。また、静音化装置１００の内部において、換気路内部に吸音材１５１−１乃至吸音材１５１−３、並びに、吸音材１５１−６乃至吸音材１５１−８が敷き詰められている。さらに、電子機器１２１の下の隙間にも、吸音材１５１−４および吸音材１５１−５が敷き詰められている。
【００６７】
また、静音化装置１００の筺体１３１の外側の正面１００Ａおよび背面１００Ｄにも緩衝材１５２−５および緩衝材１５２−６が設けられている。
【００６８】
吸音材１５１−１乃至吸音材１５１−８を互いに区別して説明する必要が無い場合、吸音材１５１と称する。また、緩衝材１５２−１乃至緩衝材１５２−６を互いに区別して説明する必要のない場合、緩衝材１５２と称する。
【００６９】
吸音材１５１は、音の反射を抑制する部材である。素材には、例えば、紙、布、羊毛、羽毛、ゴム、発泡スチロール、気泡緩衝材、ゲル化素材、グラスウール、または、ウレタン等のスポンジ等が考えられる。もちろん、これら以外の素材であってもよい。
【００７０】
緩衝材１５２は、緩衝材１３２と同様の部材である。
【００７１】
このように、静音化装置１００は、換気路内に吸音材を配置することにより、吸気口または排気口からの音漏れを抑制することができる。また、電子機器１２１において発生する振動や動作音は、一般的に、静音化装置１００の筺体１３１に伝達される。したがって、静音化装置１００の筺体１３１の外側に緩衝材１５２（吸音材１５１でもよい）を設けることにより、静音化装置の静音化性能を向上させることができる。
【００７２】
なお、吸音材１５１が緩衝性能を有していてもよい。つまり、吸音材１５１と緩衝材１５２とは互いに区別されていなくてもよい。
【００７３】
さらに、吸気口や排気口は、上述したように静音化装置１００の上側にあるのが望ましいが、基本的には任意の位置に設けることができる。例えば、図７Ａに示される換気ユニット１６１の場合のように、上面１００Ｂに吸気口や排気口を設けるようにしてもよい。また、その吸気口や排気口の形状や大きさは任意であり、図７Ａに示される換気ユニット１６１の場合のように、吸気口と排気口の形状や大きさが互いに異なるようにしてもよい。もちろん、吸気路や排気路の形状や経路も、図７Ａに示される換気ユニット１６１の場合のように、互いに同一（対称）でなくてもよい。
【００７４】
また、図７Ｂに示されるように、換気ユニットの換気路は、３段以上であってもよい。図７Ｂの例の場合、換気路は４段構成となっている。このようにすることにより、換気路の経路長を長くすることができるが、例えば換気路の大きさが不変であるとすると、その分、換気ユニットのサイズは大きくなる。
【００７５】
また、図７Ｃに示されるように、換気ユニットを４段とし、そのうち、上２段を排気路とし、下２段を吸気路とするようにしてもよい。このようにすることにより、排気より温度が低い吸気を、電子機器１２１の近傍で誘導することができ、電子機器１２１を外部からも冷却することができる（冷却性能の低下を抑制することができる）。
【００７６】
＜２．第２の実施の形態＞
［内部の構成］
図８は、本発明を適用した静音化装置の、さらに他の例を説明する断面図である。
【００７７】
図８に示されるように、図４を参照して説明した仕切り１３４の代わりに、薄膜１８１を設けるようにしてもよい。
【００７８】
薄膜１８１は、電子機器１２１の動作音等により振動する部材である。薄膜１８１の素材は、例えば、紙、布、またはセロハン等が考えられる。もちろん、これら以外の素材を用いるようにしてもよい。
【００７９】
薄膜１８１は、吸気路内部を伝達する音（矢印１９１）と、排気路内部を伝達する音（矢印１９２）の両方によって振動する。この薄膜１８１を、吸気路内部を伝達する音と、排気路内部を伝達する音との波長が互いに２分の１波長ずれる位置に設けることにより、それらの音が互いに打ち消しあうようにすることができ、吸気口および排気口からの音漏れをさらに抑制することができる。つまり、より低いコストで静音化性能を向上させることができる。
【００８０】
なお、この吸気路内部を伝達する音と、排気路内部を伝達する音とが打ち消しあう位置は、例えば騒音源１２４の位置等、様々な要因に基づいて決定される。したがって、この薄膜１８１の位置を可変とし、ユーザが、静音化装置１００の内部に設置する電子機器１２１等に応じて、最も静音効果の高い位置に薄膜１８１を配置することができるようにしてもよい。
【００８１】
［変形例］
さらに、静音化装置１００の吸気口および排気口付近にセンサを設け、静音化装置１００が、吸気口および排気口からの音漏れが最小となるように、薄膜１８１の位置を制御することができるようにしてもよい。
【００８２】
図９は、本発明を適用した静音化装置の、さらに他の例を説明する断面図である。
【００８３】
図９の例の場合、静音化装置１００の薄膜１８１は、換気ユニット１３３の換気路に沿って前後方向に可動な土台２０１および土台２０２に設けられている。また、静音化装置１００は、制御部２１１、センサ部２１２、センサ部２１３、および駆動部２１４をさらに有する。
【００８４】
制御部２１１は、センサ部２１２およびセンサ部２１３のセンサ出力に基づいて、駆動部２１４の位置制御を行う。センサ部２１２は、静音化装置１００の吸気口近傍に設けられた、例えばマイク等の、音を感知するセンサを有する。センサ部２１２は、吸気口から漏れる音の音量を検出し、その情報を制御部２１１に通知する。センサ部２１３は、センサ部２１２と同様のセンサであり、排気口近傍に設置され、排気口から漏れる音の音量を検出し、その情報を制御部２１１に通知する。
【００８５】
制御部２１１は、センサ部２１２およびセンサ部２１３から供給されるセンサ出力、すなわち、吸気口および排気口から漏れる音の音量（騒音レベル）に基づいて、駆動部２１４を制御し、その騒音レベルが最小となる位置に、薄膜１８１を移動させる。
【００８６】
駆動部２１４は、制御部２１１に制御されて、土台２０１および土台２０２を、換気ユニット１３３の換気路に沿って前後方向に移動させる。
【００８７】
［処理の流れ］
このような薄膜位置調整処理の流れの例を、図１０のフローチャートを参照して説明する。
【００８８】
薄膜位置調整処理が開始されると、ステップＳ１０１において、センサ部２１２およびセンサ部２１３は、それぞれの位置で騒音レベルを測定する。ステップＳ１０２において、制御部２１１は、ステップＳ１０１において得られた測定結果を記憶する。
【００８９】
この騒音レベルの測定は、薄膜１８１を移動させながら行う。つまり、薄膜１８１の可動範囲内において、複数の位置（ポイント）が予め定められており、薄膜１８１が各ポイントに位置する状態で、上述した騒音レベルの測定が行われる。
【００９０】
ステップＳ１０３において、制御部２１１は、全てのポイントで測定を行ったか否かを判定する。騒音レベルが測定されていないポイントがまだ存在すると判定された場合、ステップＳ１０４に進む。
【００９１】
ステップＳ１０４において、駆動部２１４は、薄膜１８１を所定量移動させて、次のポイントに移動させる。ステップＳ１０４の処理が終了すると、ステップＳ１０１に戻りそれ以降の処理を繰り返す。
【００９２】
ステップＳ１０３において、薄膜１８１を全てのポイントに移動させ、各ポイントにおいて騒音レベルの測定が終了したと判定された場合、ステップＳ１０５に進む。ステップＳ１０５において、制御部２１１は、記憶した各ポイントの測定結果に基づいて、測定結果が最小となる位置を特定する。ステップＳ１０６において、制御部２１１は、駆動部２１４を制御し、その特定した位置に薄膜１８１を移動させる。
【００９３】
ステップＳ１０６の処理が終了すると、薄膜位置調整処理が終了される。
【００９４】
このように、吸気口および排気口から漏れる音の音量に応じて薄膜１８１の位置を調整することにより、静音化装置１００は、容易に、その静音化性能を向上させることができる。また、この制御に必要な部品数も少なく一般的なものであり、かつ、その制御内容も簡易であるので、静音化装置１００は、より低いコストで静音化性能を向上させることができる。
【００９５】
＜３．第３の実施の形態＞
［外観］
なお、静音化装置の内部に設置する電子機器の台数は任意であり、複数の電子機器を設置することができるようにしてもよい。
【００９６】
図１１は、本発明を適用したサーバラックの斜視図である。
【００９７】
図１１に示されるサーバラック３００は、複数のサーバを固定可能なラックであり、静音化装置１００と同様に、設置されるサーバから発生する騒音を抑制し、かつ、十分な換気機能も有する。
【００９８】
静音化装置１００の場合と同様に、サーバラック３００の面３００Ａを正面（正面３００Ａ）と称し、面３００Ｂを上面（上面３００Ｂ）と称し、面３００Ｃを右側面（右側面３００Ｃ）と称する。
【００９９】
正面３００Ａには、前面扉３０１が設けられており、前面扉３０１を開くと開口し、その開口部からサーバを内部に設置することができるようになされている。その内部には、複数のサーバを、上下方向に積み重ねるように設置することができる。
【０１００】
サーバラック３００の内部には、各サーバの設置可能位置に対して、観音開きに開閉可能な仕切り３１１が設けられている。仕切り３１１は、サーバが設置されていない状態において閉じ、サーバが設置されると開くようになされている。この仕切り３１１により、サーバラック３００の内部の空間は、この仕切り３１１の前側の空間と後側の空間とに簡易的に仕切られる。
【０１０１】
また、この内部の上側には、後述するように換気ユニットが設けられており、正面３００Ａの上側の、その換気ユニットに対応する位置に吸気口３０２が設けられている。つまり、吸気口３０２は、サーバラック３００内部に設置されるサーバよりも上側に配置されている。
【０１０２】
図１２は、本発明を適用したサーバラックの正面図である。
【０１０３】
図１２に示されるように、サーバラック３００の内部には、上述したように複数の仕切り３１１が各サーバの設置位置に対応して配置されている。例えば、図１２の例の場合、サーバラック３００は、サーバを上下方向に９個設置することができる。図１２の例の場合、そのうち、下から２段目にサーバ３２１−２が設置され、下から４段目にサーバ３２１−４が設置され、下から５段目にサーバ３２１−５が設置されている。
【０１０４】
各サーバを互いに区別して説明する必要のない場合、サーバ３２１と称する。図１２において、サーバ３２１が設置されている、下から２段目、４段目、および５段目は、仕切り３１１が開いているが、それ以外の段は閉じている。
【０１０５】
例えば、下から１段目には仕切り３１１−１−Ｌおよび仕切り３１１−１−Ｒが設けられ、それらが閉じた状態で、サーバラック３００の内部の空間を前後方向に仕切っている。同様に、下から３段目には仕切り３１１−３−Ｌおよび仕切り３１１−３−Ｒが設けられ、それらが閉じた状態で、サーバラック３００の内部の空間を前後方向に仕切っている。同様に、下から６段目には仕切り３１１−６−Ｌおよび仕切り３１１−６−Ｒが設けられ、それらが閉じた状態で、サーバラック３００の内部の空間を前後方向に仕切っている。同様に、下から７段目には仕切り３１１−７−Ｌおよび仕切り３１１−７−Ｒが設けられ、それらが閉じた状態で、サーバラック３００の内部の空間を前後方向に仕切っている。同様に、下から８段目には仕切り３１１−８−Ｌおよび仕切り３１１−８−Ｒが設けられ、それらが閉じた状態で、サーバラック３００の内部の空間を前後方向に仕切っている。同様に、下から９段目には仕切り３１１−９−Ｌおよび仕切り３１１−９−Ｒが設けられ、それらが閉じた状態で、サーバラック３００の内部の空間を前後方向に仕切っている。
【０１０６】
［内部の構成］
図１３は、本発明を適用したサーバラック３００を前後方向に切断し、右側面３００Ｃ側から見た断面図である。正面３００Ａに対向する面３００Ｄを背面（背面３００Ｄ）と称する。
【０１０７】
図１３に示されるように、背面３００Ｄには、背面扉３３１が設けられている。背面３００Ｄも正面３００Ａと同様の開口部を有しており、背面扉３３１は、閉じた状態でその開口部を塞ぐようになされている。背面扉３３１が開かれることにより、背面３００Ｄに開口部が形成されるので、ユーザは、その開口部を介して容易に、サーバ３２１を設置したり、配線を行ったりすることができる。
【０１０８】
また、サーバラック３００の上部には、静音化装置１００の場合の換気ユニット１３３と同様の換気ユニット３４１が設けられている。背面３００Ｄの上側の、換気ユニット３４１に対応する位置に排気口３３２が設けられている。
【０１０９】
つまり、サーバラック３００においては、正面３００Ａの吸気口３０２から吸気され、背面３００Ｄの排気口３３２から排気される。サーバラック３００の内部においては、サーバ３２１が設置されていない段は、仕切り３１１により仕切られている。
【０１１０】
これに対して、サーバ３２１は、前側から吸気し、後側から排気する。また、図１３に示されるように、下から２段目においては、サーバ３２１−２が設置されており、仕切り３１１−２−Ｒがサーバ３２１−２によって開かれている。４段目および５段目も同様である。
【０１１１】
つまり、正面３００Ａの吸気口からサーバラック３００内部に吸気された外気は、設置されているサーバ３２１の内部を経由して背面３００Ｄの排気口から排出される。
【０１１２】
このように、サーバが設置されていない段を仕切り３１１により仕切ることにより、サーバラック３００は、内部の空間を吸気側と排気側に分けることができ、各サーバの換気機能を向上させることができる。
【０１１３】
もちろん、換気ユニット３４１は、換気ユニット１３３の場合と同様に、吸気路と排気路を互いに異なる経路として有する。これにより電子機器１２１の冷却効率を向上させることができる。
【０１１４】
また、換気ユニット３４１は、換気ユニット１３３と同様の構成を有するので、換気ユニット１３３の場合と同様に、コストを不要に増大させずに、静音化性能をより向上させるとともに、換気性能もより向上させることができる。
【０１１５】
また、サーバラック３００は、吸気口３０２および排気口３３２を、サーバ３２１の設置位置よりも高い位置に設置する。これにより重心が低くなるので、サーバラック３００の安定度が向上するとともに、吸気口３０２や排気口３３２からの埃等の侵入をより抑制することができる。
【０１１６】
さらに、吸気口３０２と排気口３３２を互いに離れた位置に設けることにより、サーバラック３００の外部における吸気と排気の干渉を抑制することができ、サーバ３２１の冷却効率を向上させることができる。
【０１１７】
＜４．第４の実施の形態＞
［構成］
［パーソナルコンピュータ］
上述した一連の処理は、ハードウエアにより実行させることもできるし、ソフトウエアにより実行させることもできる。この場合、例えば、図１４に示されるようなパーソナルコンピュータとして構成されるようにしてもよい。
【０１１８】
図１４において、パーソナルコンピュータ４００のCPU４０１は、ROM（Read Only Memory）４０２に記憶されているプログラム、または記憶部４１３からRAM（Random Access Memory）４０３にロードされたプログラムに従って各種の処理を実行する。RAM４０３にはまた、CPU４０１が各種の処理を実行する上において必要なデータなども適宜記憶される。
【０１１９】
CPU４０１、ROM４０２、およびRAM４０３は、バス４０４を介して相互に接続されている。このバス４０４にはまた、入出力インタフェース４１０も接続されている。
【０１２０】
入出力インタフェース４１０には、キーボード、マウスなどよりなる入力部４１１、CRT（Cathode Ray Tube）やLCD（Liquid Crystal Display）などよりなるディスプレイ、並びにスピーカなどよりなる出力部４１２、ハードディスクなどより構成される記憶部４１３、モデムなどより構成される通信部４１４が接続されている。通信部４１４は、インターネットを含むネットワークを介しての通信処理を行う。
【０１２１】
入出力インタフェース４１０にはまた、必要に応じてドライブ４１５が接続され、磁気ディスク、光ディスク、光磁気ディスク、或いは半導体メモリなどのリムーバブルメディア４２１が適宜装着され、それらから読み出されたコンピュータプログラムが、必要に応じて記憶部４１３にインストールされる。
【０１２２】
上述した一連の処理をソフトウエアにより実行させる場合には、そのソフトウエアを構成するプログラムが、ネットワークや記録媒体からインストールされる。
【０１２３】
この記録媒体は、例えば、図１４に示されるように、装置本体とは別に、ユーザにプログラムを配信するために配布される、プログラムが記録されている磁気ディスク（フレキシブルディスクを含む）、光ディスク（CD-ROM（Compact Disc - Read Only Memory）,DVD（Digital Versatile Disc）を含む）、光磁気ディスク（MD（Mini Disc）を含む）、もしくは半導体メモリなどよりなるリムーバブルメディア４２１により構成されるだけでなく、装置本体に予め組み込まれた状態でユーザに配信される、プログラムが記録されているROM４０２や、記憶部４１３に含まれるハードディスクなどで構成される。
【０１２４】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１２５】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１２６】
また、本明細書において、システムとは、複数のデバイス（装置）により構成される装置全体を表すものである。
【０１２７】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。つまり、本発明の実施の形態は、上述した実施の形態に限定されるものではなく、本発明の要旨を逸脱しない範囲において種々の変更が可能である。
【符号の説明】
【０１２８】
１００  静音化装置，  １２１  電子機器，  １２２  吸気口，  １２３  排気口，  １２４  騒音源，  １３１  筺体，  １３２  緩衝材，  １３３  換気ユニット，  １３４  仕切り，  １８１  薄膜，  ２１１  制御部，  ２１２  センサ部，  ２１３  センサ部，  ２１４  駆動部，  ３００  サーバラック，  ３１１  仕切り，  ３２１  サーバ，  ３４１  換気ユニット
【図１】
2011082225.tif 000003
【図２】
2011082225.tif 000004
【図３】
2011082225.tif 000005
【図４】
2011082225.tif 000006
【図５】
2011082225.tif 000007
【図６】
2011082225.tif 000008
【図７】
2011082225.tif 000009
【図８】
2011082225.tif 000010
【図９】
2011082225.tif 000011
【図１０】
2011082225.tif 000012
【図１１】
2011082225.tif 000013
【図１２】
2011082225.tif 000014
【図１３】
2011082225.tif 000015
【図１４】
2011082225.tif 000016